(57)【特許請求の範囲】
【請求項１】
ドリル取り付け側フレームと一体に連結するレール挾持側フレームの外側面に、レールの立上がり部を跨いでレールの台座上に下端が載置される門型の位置決め用スライド板が昇降可能に設けられ、この位置決め用スライド板に、穿孔に際してスライド板の下端がレールの台座上に載置された時、ドリルがレールのタイプに合った穿孔位置となるようレールのタイプ別表示の目盛を付した目盛盤が設けられると共に、位置決め用スライド板の外側面に、前記レール挾持側フレームの外側面と連結するガイド板が設けられ、該ガイド板に目盛盤の目盛を指示する指針部が設けられていることを特徴とするレール穿孔機に於けるドリルの位置決め装置。
【発明の詳細な説明】
【０００１】
【発明の属する技術分野】
本発明は、列車のレールの継目に当着する継目板を、ボルト止めする場合のボルト挿通孔をレールに穿設するレール穿孔機に係り、詳しくはレール穿孔機のドリルの位置決めをするための装置に関するものである。
【０００２】
【従来の技術】
従来、レール穿孔機のドリルの位置決めをする場合、レールのタイプ別の型が用意され、穿孔するレールに合った型をレールの立上がり部の側面に当接し、この型に表示された穿孔位置にドリルの高さを合わせて穿孔していた。
【０００３】
【発明が解決しようとする課題】
レールは長いほど継目の数が減り、列車の動揺が少なく、線路の保守も容易であるが、製作、運搬、取り扱いが困難であるため、その長さは制限される。
そして、レールを継ぐにはレールの立上がり部の両側から継目に継目板を当てボルト及びナットで止着している。
このボルト止めに際して、レールの立上がり部の決められた高さ位置にボルト挿通孔を穿設しているのであるが、レールのタイプによってレールの高さが異なり、ボルト挿通孔の高さ位置も当然に異なるため、レールのタイプ毎にドリルの高さ位置を変えなければならない。
【０００４】
そこで、従来は上記のように、レールのタイプ毎にそのタイプに合った型を使用して、型に付された穿孔位置にドリルの高さを合わせ穿孔していたので、ドリルの位置決め作業に時間が掛かり、能率が悪かったのである。
【０００５】
上記点より本発明は、レールのタイプによって異なる高さ位置にボルト挿通孔を穿設するに際し、レールのタイプに合ったドリルの穿孔位置を容易に決めることを可能としたレール穿孔機に於けるドリルの位置決め装置を提供しようとするものである。
【０００６】
【課題を解決するための手段】
上記課題を解決するため本発明装置は、ドリル取り付け側フレームと一体に連結するレール挾持側フレームの外側面に、レールの立上がり部を跨いでレールの台座上に下端が載置される門型の位置決め用スライド板が昇降可能に設けられ、この位置決め用スライド板に、穿孔に際してスライド板の下端がレールの台座上に載置された時、ドリルがレールのタイプに合った穿孔位置となるようレールのタイプ別表示の目盛を付した目盛盤が設けられると共に、位置決め用スライド板の外側面に、前記レール挾持側フレームの外側面と連結するガイド板が設けられ、該ガイド板に目盛盤の目盛を指示する指針部が設けられていることを特徴とするものである。
【０００７】
上記構成を有する本発明は、位置決め用スライド板を昇降し、穿孔するレールのタイプと同一のタイプの表示がされている目盛盤の目盛を、ガイド板の指針部に合わせれば、ドリルはそのレールに合った高さの穿孔位置となるので、穿孔に際して位置決め用スライド板の下端を、穿孔するレールの台座部に載置するだけで容易に穿孔が可能となる。
【０００８】
【発明の実施の形態】
以下、本発明の一実施の形態を図面に基づき説明する。
図１は本発明装置の一実施の形態を示す側面図、図２は同上の平面図、図３は同上の正面図、図４は同上の部分断面図である。
【０００９】
而して、図中１はドリル取り付け側フレームであり、該ドリル取り付け側フレーム１は前面板１Ａ、後面板１Ｂ及び前後面の板１Ａ、１Ｂを連結する左右の連結杆１Ｃにより構成されている。
前面板１Ａと後面板１Ｂ間に螺軸２が渡設され、この螺軸２は螺軸２の後部に連結したドリル送りハンドル３で回動可能となっている。
【００１０】
４は螺軸２に螺合し前後動する移動筒であり、この移動筒４にドリル５をボルト６で固定したドリル取り付け板７が一体に取り付けられている。
８は、ドリル５の両側で前面板１Ａと後面板１Ｂ間に渡設したガイド杆であり、このガイド杆８にドリル５の両側にドリル５と一体に設けた摺動筒９が挿通されている。
【００１１】
１０は、ドリル取り付け側フレーム１の前方にドリル取り付け側フレームと一体に連結したレール挾持側フレームであり、該レール挾持側フレーム１０は両側の門形の側板１０Ａと、この側板１０Ａ間に渡設した水平板１０Ｂと、両側板１０Ａの前面に渡設した前面板１０Ｃにより構成されている。
【００１２】
１１は、側板１０Ａの外側面に沿って昇降する門形の両側の位置決め用スライド板であり、該位置決め用スライド板１１は側板１０Ａより上下に長い形状で、位置決め用スライド板１１の上部に両側の位置決め用スライド板１１を連結している水平な上面板１２が設けられている。
又、位置決め用スライド板１１の脚部１１Ａに上下方向に長孔１１Ｂが設けられると共に、位置決め用スライド板１１の外側面の上部中央に目盛盤１３が取り付けられている。
又、スライド板１１の脚部１１Ａの下端はレール１６の台座１６Ａ上に載置するよう傾斜部１１Ｃが形成されている。
【００１３】
１４は、位置決め用スライド板１１の長孔１１Ｂより挿通し、先端部を側板１０Ａに螺着した上下二箇所に設けた連結ボルトであり、この連結ボルト１４は位置決め用スライド板１１の外側面に設けた上下方向に長いガイド板１５を挿通している。
ガイド板１５の上部に前記目盛盤１３に表示したレール１６のタイプ別表示の目盛１３Ａを指示する指針部１５Ａが形成されている。
【００１４】
そして、スライド板１１を昇降し、指針部１５Ａの先端を穿孔するレール１６と同タイプのレールの種類の目盛１３Ａに合わせれば、スライド板１１がレール１６の台座１６Ａ上に載置された時、ドリル５の先端がそのタイプのレール１６の決められている高さの穿孔位置に丁度合致するようになっている。
【００１５】
１７は、両側のスライド板１１を連結している上面板１２に下部が挿通され、その下端に外側へ鍔部１７Ａが形成されると共に、上部に昇降用ハンドル１７Ｂが形成された回動筒であり、回動筒１７はワッシャー１８を介して止めナット１９により上面板１２に回動可能に取り付けられ、内側に雌螺子１７Ｃが設けられている。
【００１６】
２０は、外側に前記雌螺子１７Ｃに螺合する雄螺子２０Ａを外周に設けた螺軸であり、この螺軸２０は下端が挾持側フレーム１０の水平板１０Ｂに固定され、内部は中空に形成されている。そして回動筒１７を回動すれば、回動筒１７と共にスライド板１１が長孔１１Ｂにより昇降する。
尚、図中２１はレールの側面を片側より挾持するレールクランプ、２２はレールクランプ２１のハンドル、２３は位置基準バーである。
【００１７】
次に、装置の使用方法を説明すれば、回動筒１７のハンドル１７Ｂを回せば、回動筒１７は螺軸２０に螺合していることと、螺軸２０はレール挾持側フレーム１０の水平板１０Ｂに下端を固定されていることにより、回動筒１７と共にスライド板１１が長孔１１Ｂにより昇降するから、スライド板１１の目盛盤１３の目盛１３Ａのうち、穿孔するレール１６と同じレールの種類の目盛１３Ａにガイド板１５の指針部１５Ａを合わせれば、ドリル５の先端がそのタイプのレール１６の決められている高さの穿孔位置となるため、この状態でレール１６にスライド板１１をまたがせ、スライド板１１の下端をレール１６の台座１６Ａ上に載置する。
【００１８】
そして、レール１６の側方よりレールクランプ２１のハンドル２２を回してレールクランプ２１を前進し、レール１６を挾持すると共にレール１６の上方より位置基準バー２３を当て、レール１６をレール挾持側フレーム１０に固定した後、ドリル送りハンドル３を回動してドリル５を前進させ、ドリル５の先端をレール１６の立上がり部１６Ｂに側方より当て穿孔する。
【００１９】
【発明の効果】
本発明によれば、穿孔に際して位置決め用スライド板を昇降し、穿孔するレールのタイプと同一タイプの表示がされている目盛盤の目盛をガイド板の指針部に合わすだけで、ドリルの高さ位置はそのレールに合った高さの穿孔位置に設定されるので、従来のようにレールのタイプ毎の型を準備し、型に合わせてドリルの位置決めをし、穿孔後、型を取り除くのに比べ作業が容易で能率が格段に向上するものである。
【図面の簡単な説明】
【図１】本発明装置の一実施の形態を示す側面図である。
【図２】本発明装置の一実施の形態を示す平面図である。
【図３】本発明装置の一実施の形態を示す正面図である。
【図４】本発明装置の一実施の形態を示す部分断面図である。
【符号の説明】
１    ドリル取り付け側フレーム
５    ドリル
１０  レール挾持側フレーム
１１  位置決め用スライド板
１２  上面板
１３    目盛盤
１３Ａ  目盛
１５    ガイド板
１５Ａ  指針部
１６    レール
１６Ａ  レールの台座
１７    回動筒
１７Ｃ  雌螺子
１９    止めナット
２０    螺軸
２０Ａ  雄螺子
【図１】
0003634629.tif 000002
【図２】
0003634629.tif 000003
【図３】
0003634629.tif 000004
【図４】
0003634629.tif 000005